【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
各々が識別可能な複数種類の特別識別情報の可変表示を行う第１可変表示手段と、該第１可変表示手段による前記特別識別情報の可変表示に対応して各々が識別可能な複数種類の装飾識別情報の可変表示を行う第２可変表示手段と、を備え、前記特別識別情報の可変表示の表示結果が予め定められた特定表示結果となったときに、遊技者にとって有利な特定遊技状態に制御し、さらに、前記特別識別情報の可変表示の表示結果が前記特定表示結果のうちで予め定められた特別表示結果となったときには、前記特定遊技状態が終了した後に前記特定表示結果となる確率が前記特定遊技状態とは異なる通常遊技状態時よりも高い高確率状態に制御する遊技機であって、
遊技の進行を制御するとともに、前記第１可変表示手段の表示制御を行う遊技制御手段と、
前記遊技制御手段からの制御信号に基づいて前記第２可変表示手段の表示制御を行う表示制御手段と、
を備え、
前記遊技制御手段は、
遊技機への電力供給が停止しても記憶内容を保持することが可能なデータ記憶手段と、
電力供給が停止された後に電力供給が再開されたときに、前記データ記憶手段の記憶内容に基づいて制御状態を復旧する復旧制御手段と、
前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段と、
前記制御信号として、前記特別識別情報の可変表示を開始してから表示結果を導出表示するまでの可変表示時間及び表示結果の種類を示す可変表示コマンドと、前記特別識別情報の可変表示の表示結果の種類を示す特別識別情報コマンドと、前記特定遊技状態の開始を示す特定遊技状態開始コマンドと、前記復旧制御手段によって制御状態が復旧されたことを示す復旧コマンドと、を送信する制御信号送信手段と、
を含み、
前記表示制御手段は、
前記制御信号送信手段によって送信された可変表示コマンドに基づき前記第２可変表示手段による可変表示の表示結果として導出表示される装飾識別情報を決定する装飾識別情報決定手段と、
前記制御信号送信手段によって送信された特別識別情報コマンドを受信したときに、当該特別識別情報コマンドに示された表示結果の種類を特定可能なデータが格納される確定識別情報格納手段と、
前記特定遊技状態に制御されているときに前記第２可変表示手段に表示する装飾識別情報を特定可能なデータが格納される表示用識別情報格納手段と、
前記制御信号送信手段によって送信された可変表示コマンドを受信したときに、前記確定識別情報格納手段に格納されているデータをクリアするデータクリア手段と、
前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段と、
前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段と、
前記整合判定手段によって整合しない旨の判定がなされたときに、当該不整合の判定結果を特定可能なデータを、前記表示用識別情報格納手段に格納する制御を行う不整合時格納制御手段と、
前記制御信号送信手段によって送信された復旧コマンドを受信したときに、前記表示用識別情報格納手段をクリアするとともに、前記確定識別情報格納手段には前記特定表示結果とは異なる特別識別情報を特定可能なデータを格納する制御を行う復旧時格納制御手段と、
前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段と、
を含み、
前記特定遊技状態中表示制御手段は、
前記第１可変表示手段により前記特定表示結果が導出表示される前記特別識別情報の可変表示中に電力供給が停止された後、電力供給が再開された場合には、当該電力供給の再開後に開始される前記特定遊技状態では前記第２可変表示手段に前記所定の識別情報を表示させる、
ことを特徴とする遊技機。
【請求項２】
各々が識別可能な複数種類の特別識別情報の可変表示を行う第１可変表示手段と、該第１可変表示手段による前記特別識別情報の可変表示に対応して各々が識別可能な複数種類の装飾識別情報の可変表示を行う第２可変表示手段と、を備え、前記特別識別情報の可変表示の表示結果が予め定められた特定表示結果となったときに、遊技者にとって有利な特定遊技状態に制御し、さらに、前記特別識別情報の可変表示の表示結果が前記特定表示結果のうちで予め定められた特別表示結果となったときには、前記特定遊技状態が終了した後に前記特定表示結果となる確率が前記特定遊技状態とは異なる通常遊技状態時よりも高い高確率状態に制御する遊技機であって、
遊技の進行を制御するとともに、前記第１可変表示手段の表示制御を行う遊技制御手段と、
前記遊技制御手段からの制御信号に基づいて前記第２可変表示手段の表示制御を行う表示制御手段と、
を備え、
前記遊技制御手段は、
遊技機への電力供給が停止しても記憶内容を保持することが可能なデータ記憶手段と、
電力供給が停止された後に電力供給が再開されたときに、前記データ記憶手段の記憶内容に基づいて制御状態を復旧する復旧制御手段と、
前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段と、
前記制御信号として、少なくとも前記特別識別情報の可変表示を開始してから表示結果を導出表示するまでの可変表示時間を示す可変表示コマンドと、前記特別識別情報の可変表示の表示結果の種類を示す特別識別情報コマンドと、前記特定遊技状態の開始を示す特定遊技状態開始コマンドと、前記復旧制御手段によって制御状態が復旧されたことを示す復旧コマンドと、を送信する制御信号送信手段と、
を含み、
前記表示制御手段は、
前記制御信号送信手段によって送信された特別識別情報コマンドに基づき前記第２可変表示手段による可変表示の表示結果として導出表示される装飾識別情報を決定する装飾識別情報決定手段と、
前記制御信号送信手段によって送信された特別識別情報コマンドを受信したときに、当該特別識別情報コマンドに示された表示結果の種類を特定可能なデータが格納される確定識別情報格納手段と、
前記特定遊技状態に制御されているときに前記第２可変表示手段に表示する装飾識別情報を特定可能なデータが格納される表示用識別情報格納手段と、
前記制御信号送信手段によって送信された可変表示コマンドを受信したときに、前記確定識別情報格納手段に格納されているデータをクリアするデータクリア手段と、
前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段と、
前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段と、
前記整合判定手段によって整合しない旨の判定がなされたときに、当該不整合の判定結果を特定可能なデータを、前記表示用識別情報格納手段に格納する制御を行う不整合時格納制御手段と、
前記制御信号送信手段によって送信された復旧コマンドを受信したときに、前記表示用識別情報格納手段をクリアするとともに、前記確定識別情報格納手段には前記特定表示結果とは異なる特別識別情報を特定可能なデータを格納する制御を行う復旧時格納制御手段と、
前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段と、
を含み、
前記特定遊技状態中表示制御手段は、
前記第１可変表示手段により前記特定表示結果が導出表示される前記特別識別情報の可変表示中に電力供給が停止された後、電力供給が再開された場合には、当該電力供給の再開後に開始される前記特定遊技状態では前記第２可変表示手段に前記所定の識別情報を表示させる、
ことを特徴とする遊技機。
【請求項３】
各々が識別可能な複数種類の特別識別情報の可変表示を行う第１可変表示手段と、該第１可変表示手段による前記特別識別情報の可変表示に対応して各々が識別可能な複数種類の装飾識別情報の可変表示を行う第２可変表示手段と、を備え、前記特別識別情報の可変表示の表示結果が予め定められた特定表示結果となったときに、遊技者にとって有利な特定遊技状態に制御し、さらに、前記特別識別情報の可変表示の表示結果が前記特定表示結果のうちで予め定められた特別表示結果となったときには、前記特定遊技状態が終了した後に前記特定表示結果となる確率が前記特定遊技状態とは異なる通常遊技状態時よりも高い高確率状態に制御する遊技機であって、
遊技の進行を制御するとともに、前記第１可変表示手段の表示制御を行う遊技制御手段と、
前記遊技制御手段からの制御信号に基づいて前記第２可変表示手段の表示制御を行う表示制御手段と、
を備え、
前記遊技制御手段は、
遊技機への電力供給が停止しても記憶内容を保持することが可能なデータ記憶手段と、
電力供給が停止された後に電力供給が再開されたときに、前記データ記憶手段の記憶内容に基づいて制御状態を復旧する復旧制御手段と、
前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段と、
前記制御信号として、前記特別識別情報の可変表示を開始してから表示結果を導出表示するまでの可変表示時間及び表示結果の種類を示す可変表示コマンドと、前記特別識別情報の可変表示の表示結果の種類を示す特別識別情報コマンドと、前記特定遊技状態の開始を示す特定遊技状態開始コマンドと、前記復旧制御手段によって制御状態が復旧されたことを示す復旧コマンドと、を送信する制御信号送信手段と、
を含み、
前記表示制御手段は、
前記制御信号送信手段によって送信された可変表示コマンドに基づき前記第２可変表示手段による可変表示の表示結果として導出表示される装飾識別情報を決定する装飾識別情報決定手段と、
前記制御信号送信手段によって送信された特別識別情報コマンドを受信したときに、当該特別識別情報コマンドに示された表示結果の種類を特定可能なデータが格納される確定識別情報格納手段と、
前記特定遊技状態に制御されているときに前記第２可変表示手段に表示する装飾識別情報を特定可能なデータが格納される表示用識別情報格納手段と、
前記制御信号送信手段によって送信された可変表示コマンドを受信したときに、前記確定識別情報格納手段に格納されているデータをクリアするデータクリア手段と、
前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段と、
前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段と、
前記整合判定手段によって整合しない旨の判定がなされたときに、当該不整合の判定結果を特定可能なデータを、前記表示用識別情報格納手段に格納する制御を行う不整合時格納制御手段と、
前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段と、
前記制御信号送信手段によって送信された復旧コマンドを受信したときに、前記表示用識別情報格納手段をクリアした後に、前記所定の識別情報を特定可能なデータを格納するとともに、前記確定識別情報格納手段には前記特定表示結果とは異なる特別識別情報を特定可能なデータを格納する制御を行う復旧時格納制御手段と、
を含み、
前記特定遊技状態中表示制御手段は、
前記特定遊技状態に制御されているときに電力供給が停止された後、電力供給が再開された場合には、当該電力供給の再開後における前記特定遊技状態では前記第２可変表示手段に前記所定の識別情報を表示させる、
ことを特徴とする遊技機。
【請求項４】
各々が識別可能な複数種類の特別識別情報の可変表示を行う第１可変表示手段と、該第１可変表示手段による前記特別識別情報の可変表示に対応して各々が識別可能な複数種類の装飾識別情報の可変表示を行う第２可変表示手段と、を備え、前記特別識別情報の可変表示の表示結果が予め定められた特定表示結果となったときに、遊技者にとって有利な特定遊技状態に制御し、さらに、前記特別識別情報の可変表示の表示結果が前記特定表示結果のうちで予め定められた特別表示結果となったときには、前記特定遊技状態が終了した後に前記特定表示結果となる確率が前記特定遊技状態とは異なる通常遊技状態時よりも高い高確率状態に制御する遊技機であって、
遊技の進行を制御するとともに、前記第１可変表示手段の表示制御を行う遊技制御手段と、
前記遊技制御手段からの制御信号に基づいて前記第２可変表示手段の表示制御を行う表示制御手段と、
を備え、
前記遊技制御手段は、
遊技機への電力供給が停止しても記憶内容を保持することが可能なデータ記憶手段と、
電力供給が停止された後に電力供給が再開されたときに、前記データ記憶手段の記憶内容に基づいて制御状態を復旧する復旧制御手段と、
前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段と、
前記制御信号として、少なくとも前記特別識別情報の可変表示を開始してから表示結果を導出表示するまでの可変表示時間を示す可変表示コマンドと、前記特別識別情報の可変表示の表示結果の種類を示す特別識別情報コマンドと、前記特定遊技状態の開始を示す特定遊技状態開始コマンドと、前記復旧制御手段によって制御状態が復旧されたことを示す復旧コマンドと、を送信する制御信号送信手段と、
を含み、
前記表示制御手段は、
前記制御信号送信手段によって送信された特別識別情報コマンドに基づき前記第２可変表示手段による可変表示の表示結果として導出表示される装飾識別情報を決定する装飾識別情報決定手段と、
前記制御信号送信手段によって送信された特別識別情報コマンドを受信したときに、当該特別識別情報コマンドに示された表示結果の種類を特定可能なデータが格納される確定識別情報格納手段と、
前記特定遊技状態に制御されているときに前記第２可変表示手段に表示する装飾識別情報を特定可能なデータが格納される表示用識別情報格納手段と、
前記制御信号送信手段によって送信された可変表示コマンドを受信したときに、前記確定識別情報格納手段に格納されているデータをクリアするデータクリア手段と、
前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段と、
前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段と、
前記整合判定手段によって整合しない旨の判定がなされたときに、当該不整合の判定結果を特定可能なデータを、前記表示用識別情報格納手段に格納する制御を行う不整合時格納制御手段と、
前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段と、
前記制御信号送信手段によって送信された復旧コマンドを受信したときに、前記表示用識別情報格納手段をクリアした後に、前記所定の識別情報を特定可能なデータを格納するとともに、前記確定識別情報格納手段には前記特定表示結果とは異なる特別識別情報を特定可能なデータを格納する制御を行う復旧時格納制御手段と、
を含み、
前記特定遊技状態中表示制御手段は、
前記特定遊技状態に制御されているときに電力供給が停止された後、電力供給が再開された場合には、当該電力供給の再開後における前記特定遊技状態では前記第２可変表示手段に前記所定の識別情報を表示させる、
ことを特徴とする遊技機。
【請求項５】
前記表示制御手段は、
前記整合判定手段によって整合しない旨の判定がなされたときに、異常が発生した旨を報知する制御を行う異常報知制御手段を含む、
ことを特徴とする請求項１から４のいずれか１項に記載の遊技機。
【請求項６】
前記遊技制御手段から前記表示制御手段に出力される制御信号を中継する中継手段を備え、
前記遊技制御手段には、
前記中継手段からの信号の入力を阻止する第１の信号方向規制手段が設けられ、
前記中継手段には、
前記表示制御手段からの信号の入力を阻止する第２の信号方向規制手段が設けられている、
ことを特徴とする請求項１から５のいずれか１項に記載の遊技機。
【請求項７】
遊技者が操作可能な操作手段と、
前記操作手段の操作に応じて操作信号を出力する操作信号出力手段と、
を備え、
前記表示制御手段は、
前記遊技制御手段からの制御信号とは異なる信号として、前記操作信号出力手段から出力された操作信号を入力する外部入力手段と、
前記操作信号出力手段から前記外部入力手段に操作信号が入力されたか否かを判定する操作判定手段と、
前記第２可変表示手段における演出表示の表示態様を、前記操作判定手段による操作信号が入力されたか否かの判定結果に基づいて決定する操作判定演出決定手段と、
を含む、
ことを特徴とする請求項１から６のいずれか１項に記載の遊技機。
【請求項８】
前記不整合時格納制御手段は、
前記不整合の判定結果を特定可能なデータとして、前記所定の識別情報を示すデータを前記表示用識別情報格納手段に格納する、
ことを特徴とする請求項１から７のいずれか１項に記載の遊技機。
【請求項９】
前記制御信号送信手段は、
電力供給が停止された後に電力供給が再開されたときに、当該電力供給が停止する以前において最後に送信した特別識別情報コマンドを再送する機能を有し、
前記表示制御手段は、
前記制御信号送信手段によって再送された特別識別情報コマンドに基づき、前記所定の識別情報を、前記特別表示結果と整合する種類の装飾識別情報と、前記特別表示結果以外の特定表示結果と整合する種類の装飾識別情報と、のうちのいずれかに決定する機能を備えた、
ことを特徴とする請求項１から８のいずれか１項に記載の遊技機。
【請求項１０】
前記表示制御手段は、
前記制御信号送信手段によって再送された特別識別情報コマンドに基づき、前記特定遊技状態における演出を、当該特定遊技状態が終了した後に前記高確率状態に制御されるときに行われる演出と、当該特定遊技状態が終了した後に前記特定表示結果となる確率が前記通常遊技状態時と同一に制御されるときに行われる演出と、のうちのいずれかに決定する機能を備えた、
ことを特徴とする請求項９に記載の遊技機。
【手続補正２】
【補正対象書類名】明細書
【補正対象項目名】０００９
【補正方法】変更
【補正の内容】
【０００９】
上記目的を達成するため、本願の請求項１に記載の遊技機は、各々が識別可能な複数種類の特別識別情報（例えば特別図柄）の可変表示を行う第１可変表示手段（例えば特別図柄表示装置４）と、該第１可変表示手段による前記特別識別情報の可変表示に対応して各々が識別可能な複数種類の装飾識別情報（例えば飾り図柄）の可変表示を行う第２可変表示手段（例えば画像表示装置５）と、を備え、前記特別識別情報の可変表示の表示結果が予め定められた特定表示結果（例えば「３」または「７」を示す確定図柄）となったときに、遊技者にとって有利な特定遊技状態（例えば大当り遊技状態）に制御し、さらに、前記特別識別情報の可変表示の表示結果が前記特定表示結果のうちで予め定められた特別表示結果（例えば「７」を示す確定図柄）となったときには、前記特定遊技状態が終了した後に前記特定表示結果となる確率が前記特定遊技状態とは異なる通常遊技状態時よりも高い高確率状態（例えば確率向上状態）に制御する遊技機（例えばパチンコ遊技機１）であって、遊技の進行を制御するとともに、前記第１可変表示手段の表示制御を行う遊技制御手段（例えば主基板１１に搭載されてＲＯＭ１０１、ＲＡＭ１０２、ＣＰＵ１０３などを含んだ遊技制御用マイクロコンピュータ１００など）と、前記遊技制御手段からの制御信号（例えば演出制御コマンド）に基づいて前記第２可変表示手段の表示制御を行う表示制御手段（例えば演出制御基板１２に搭載された演出制御用ＣＰＵ１３０、ＲＯＭ１３１、ＲＡＭ１３２、表示制御部１３３など）と、を備え、前記遊技制御手段は、遊技機への電力供給が停止しても記憶内容を保持することが可能なデータ記憶手段（例えばＲＡＭ１０２のバックアップ領域など）と、電力供給が停止された後に電力供給が再開されたときに、前記データ記憶手段の記憶内容に基づいて制御状態を復旧する復旧制御手段（例えばＣＰＵ１０３がステップＳ９の遊技状態復旧処理を実行する部分など）と、前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段（例えばＣＰＵ１０３がステップＳ２０４の大当り判定処理やステップＳ２２３、Ｓ２２５、Ｓ２２９の処理を実行する部分など）と、前記制御信号として、前記特別識別情報の可変表示を開始してから表示結果を導出表示するまでの可変表示時間及び表示結果の種類を示す可変表示コマンド（例えば可変表示開始コマンド８０ＸＸ（ｈ））と、前記特別識別情報の可変表示の表示結果の種類を示す特別識別情報コマンド（例えば特別図柄通知コマンド９０ＸＸ（ｈ））と、前記特定遊技状態の開始を示す特定遊技状態開始コマンド（例えば大当り開始コマンドＡ０００（ｈ））と、前記復旧制御手段によって制御状態が復旧されたことを示す復旧コマンド（例えば電源復旧コマンドＦＥ００（ｈ））と、を送信する制御信号送信手段（例えばＣＰＵ１０３がステップＳ２８のコマンド制御処理や、ステップＳ１０２、Ｓ２３７、Ｓ２３８の処理、及びステップＳ１２４の大入賞口開放前処理を実行する部分など）と、を含み、前記表示制御手段は、前記制御信号送信手段によって送信された可変表示コマンドに基づき前記第２可変表示手段による可変表示の表示結果として導出表示される装飾識別情報を決定する装飾識別情報決定手段（例えば演出制御用ＣＰＵ１３０がステップＳ４３３の飾り図柄可変表示設定処理を実行する部分など）と、前記制御信号送信手段によって送信された特別識別情報コマンドを受信したときに、当該特別識別情報コマンドに示された表示結果の種類を特定可能なデータが格納される確定識別情報格納手段（例えば確定特別図柄記憶部１５１など）と、前記特定遊技状態に制御されているときに前記第２可変表示手段に表示する装飾識別情報を特定可能なデータが格納される表示用識別情報格納手段（例えば大当り時表示用飾り図柄記憶部１５３など）と、前記制御信号送信手段によって送信された可変表示コマンドを受信したときに、前記確定識別情報格納手段に格納されているデータをクリアするデータクリア手段（例えばＣＰＵ１０３がステップＳ４０８の処理を実行する部分）と、前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段（例えば演出制御用ＣＰＵ１３０がステップＳ５５６の処理を実行する部分など）と、前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段（例えば演出制御用ＣＰＵ１３０がステップＳ５５７の処理を実行する部分など）と、前記整合判定手段によって整合しない旨の判定がなされたときに、当該不整合の判定結果を特定可能なデータを、前記表示用識別情報格納手段に格納する制御を行う不整合時格納制御手段（例えば演出制御用ＣＰＵ１３０がステップＳ５５８の処理を実行する部分など）と、前記制御信号送信手段によって送信された復旧コマンドを受信したときに、前記表示用識別情報格納手段をクリアするとともに、前記確定識別情報格納手段には前記特定表示結果とは異なる特別識別情報を特定可能なデータを格納する制御を行う復旧時格納制御手段（例えば演出制御用ＣＰＵ１３０がステップＳ４０４の電源復旧時設定処理を実行する部分など）と、前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段（例えば演出制御用ＣＰＵ１３０がステップＳ５６６〜Ｓ５７１の処理を実行することにより、例えば図３５（Ａ）に示すような報知情報５１Ａあるいは図３５（Ｂ）に示すような報知情報５１Ｂを、画像表示装置５に表示させる部分など）と、を含み、前記特定遊技状態中表示制御手段は、前記第１可変表示手段により前記特定表示結果が導出表示される前記特別識別情報の可変表示中に電力供給が停止された後、電力供給が再開された場合には、当該電力供給の再開後に開始される前記特定遊技状態では前記第２可変表示手段に前記所定の識別情報を表示させる（例えば演出制御用ＣＰＵ１３０がステップＳ４０４の電源復旧時設定処理でステップＳ５０２の処理を実行することにより確定特別図柄記憶部１５１にハズレ図柄を示すデータをセットした後に、サブ側可変表示時間タイマがタイムアウトしていることからステップＳ４３５にてＹｅｓと判定したとき、主基板１１からの大当り開始コマンドを受信したことにより大当り開始フラグがオンとなっていることからステップＳ５５２にてＹｅｓと判定したときには、ステップＳ５５４にてＮｏの判定を行うことでステップＳ５５８の処理にて大当り時表示用飾り図柄記憶部１５３に不整合情報データを格納し、さらにステップＳ５６６にてＹｅｓの判定を行ってステップＳ５７１の処理を実行することにより、図３５（Ｂ）に示すような報知情報５１Ｂを、画像表示装置５に表示させる部分など）。
【手続補正３】
【補正対象書類名】明細書
【補正対象項目名】００１０
【補正方法】変更
【補正の内容】
【００１０】
上記目的を達成するため、本願の請求項２に記載の遊技機は、各々が識別可能な複数種類の特別識別情報（例えば特別図柄）の可変表示を行う第１可変表示手段（例えば特別図柄表示装置４）と、該第１可変表示手段による前記特別識別情報の可変表示に対応して各々が識別可能な複数種類の装飾識別情報（例えば飾り図柄）の可変表示を行う第２可変表示手段（例えば画像表示装置５）と、を備え、前記特別識別情報の可変表示の表示結果が予め定められた特定表示結果（例えば「３」または「７」を示す確定図柄）となったときに、遊技者にとって有利な特定遊技状態（例えば大当り遊技状態）に制御し、さらに、前記特別識別情報の可変表示の表示結果が前記特定表示結果のうちで予め定められた特別表示結果（例えば「７」を示す確定図柄）となったときには、前記特定遊技状態が終了した後に前記特定表示結果となる確率が前記特定遊技状態とは異なる通常遊技状態時よりも高い高確率状態（例えば確率向上状態）に制御する遊技機（例えばパチンコ遊技機１）であって、遊技の進行を制御するとともに、前記第１可変表示手段の表示制御を行う遊技制御手段（例えば主基板１１に搭載されてＲＯＭ１０１、ＲＡＭ１０２、ＣＰＵ１０３などを含んだ遊技制御用マイクロコンピュータ１００など）と、前記遊技制御手段からの制御信号（例えば演出制御コマンド）に基づいて前記第２可変表示手段の表示制御を行う表示制御手段（例えば演出制御基板１２に搭載された演出制御用ＣＰＵ１３０、ＲＯＭ１３１、ＲＡＭ１３２、表示制御部１３３など）と、を備え、前記遊技制御手段は、遊技機への電力供給が停止しても記憶内容を保持することが可能なデータ記憶手段（例えばＲＡＭ１０２のバックアップ領域など）と、電力供給が停止された後に電力供給が再開されたときに、前記データ記憶手段の記憶内容に基づいて制御状態を復旧する復旧制御手段（例えばＣＰＵ１０３がステップＳ９の遊技状態復旧処理を実行する部分など）と、前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段（例えばＣＰＵ１０３がステップＳ２０４の大当り判定処理やステップＳ２２３、Ｓ２２５、Ｓ２２９の処理を実行する部分など）と、前記制御信号として、少なくとも前記特別識別情報の可変表示を開始してから表示結果を導出表示するまでの可変表示時間を示す可変表示コマンド（例えば可変表示開始コマンド８０ＸＸ（ｈ））と、前記特別識別情報の可変表示の表示結果の種類を示す特別識別情報コマンド（例えば特別図柄通知コマンド９０ＸＸ（ｈ））と、前記特定遊技状態の開始を示す特定遊技状態開始コマンド（例えば大当り開始コマンドＡ０００（ｈ））と、前記復旧制御手段によって制御状態が復旧されたことを示す復旧コマンド（例えば電源復旧コマンドＦＥ００（ｈ））と、を送信する制御信号送信手段（例えばＣＰＵ１０３がステップＳ２８のコマンド制御処理や、ステップＳ１０２、Ｓ２３７、Ｓ２３８の処理、及びステップＳ１２４の大入賞口開放前処理を実行する部分など）と、を含み、前記表示制御手段は、前記制御信号送信手段によって送信された特別識別情報コマンドに基づき前記第２可変表示手段による可変表示の表示結果として導出表示される装飾識別情報を決定する装飾識別情報決定手段（例えば演出制御用ＣＰＵ１３０がステップＳ５２２にて例えば主基板１１から送信された特別図柄通知コマンドのＥＸＴデータを読み取るなどして特別図柄の種類を特定し、ステップＳ５２３にて確変大当り図柄であるか否かを判定し、ステップＳ５２５にて通常大当り図柄であるか否かを判定する場合において、ステップＳ５２２〜Ｓ５３９の処理を実行する部分など）と、前記制御信号送信手段によって送信された特別識別情報コマンドを受信したときに、当該特別識別情報コマンドに示された表示結果の種類を特定可能なデータが格納される確定識別情報格納手段（例えば確定特別図柄記憶部１５１など）と、前記特定遊技状態に制御されているときに前記第２可変表示手段に表示する装飾識別情報を特定可能なデータが格納される表示用識別情報格納手段（例えば大当り時表示用飾り図柄記憶部１５３など）と、前記制御信号送信手段によって送信された可変表示コマンドを受信したときに、前記確定識別情報格納手段に格納されているデータをクリアするデータクリア手段（例えばＣＰＵ１０３がステップＳ４０８の処理を実行する部分）と、前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段（例えば演出制御用ＣＰＵ１３０がステップＳ５５６の処理を実行する部分など）と、前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段（例えば演出制御用ＣＰＵ１３０がステップＳ５５７の処理を実行する部分など）と、前記整合判定手段によって整合しない旨の判定がなされたときに、当該不整合の判定結果を特定可能なデータを、前記表示用識別情報格納手段に格納する制御を行う不整合時格納制御手段（例えば演出制御用ＣＰＵ１３０がステップＳ５５８の処理を実行する部分など）と、前記制御信号送信手段によって送信された復旧コマンドを受信したときに、前記表示用識別情報格納手段をクリアするとともに、前記確定識別情報格納手段には前記特定表示結果とは異なる特別識別情報を特定可能なデータを格納する制御を行う復旧時格納制御手段（例えば演出制御用ＣＰＵ１３０がステップＳ４０４の電源復旧時設定処理を実行する部分など）と、前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段（例えば演出制御用ＣＰＵ１３０がステップＳ５６６〜Ｓ５７１の処理を実行することにより、例えば図３５（Ａ）に示すような報知情報５１Ａあるいは図３５（Ｂ）に示すような報知情報５１Ｂを、画像表示装置５に表示させる部分など）と、を含み、前記特定遊技状態中表示制御手段は、前記第１可変表示手段により前記特定表示結果が導出表示される前記特別識別情報の可変表示中に電力供給が停止された後、電力供給が再開された場合には、当該電力供給の再開後に開始される前記特定遊技状態では前記第２可変表示手段に前記所定の識別情報を表示させる（例えば演出制御用ＣＰＵ１３０がステップＳ４０４の電源復旧時設定処理でステップＳ５０２の処理を実行することにより確定特別図柄記憶部１５１にハズレ図柄を示すデータをセットした後に、サブ側可変表示時間タイマがタイムアウトしていることからステップＳ４３５にてＹｅｓと判定したとき、主基板１１からの大当り開始コマンドを受信したことにより大当り開始フラグがオンとなっていることからステップＳ５５２にてＹｅｓと判定したときには、ステップＳ５５４にてＮｏの判定を行うことでステップＳ５５８の処理にて大当り時表示用飾り図柄記憶部１５３に不整合情報データを格納し、さらにステップＳ５６６にてＹｅｓの判定を行ってステップＳ５７１の処理を実行することにより、図３５（Ｂ）に示すような報知情報５１Ｂを、画像表示装置５に表示させる部分など）。
【手続補正４】
【補正対象書類名】明細書
【補正対象項目名】００１１
【補正方法】変更
【補正の内容】
【００１１】
上記目的を達成するため、本願の請求項３に記載の遊技機は、各々が識別可能な複数種類の特別識別情報（例えば特別図柄）の可変表示を行う第１可変表示手段（例えば特別図柄表示装置４）と、該第１可変表示手段による前記特別識別情報の可変表示に対応して各々が識別可能な複数種類の装飾識別情報（例えば飾り図柄）の可変表示を行う第２可変表示手段（例えば画像表示装置５）と、を備え、前記特別識別情報の可変表示の表示結果が予め定められた特定表示結果（例えば「３」または「７」を示す確定図柄）となったときに、遊技者にとって有利な特定遊技状態（例えば大当り遊技状態）に制御し、さらに、前記特別識別情報の可変表示の表示結果が前記特定表示結果のうちで予め定められた特別表示結果（例えば「７」を示す確定図柄）となったときには、前記特定遊技状態が終了した後に前記特定表示結果となる確率が前記特定遊技状態とは異なる通常遊技状態時よりも高い高確率状態（例えば確率向上状態）に制御する遊技機（例えばパチンコ遊技機１）であって、遊技の進行を制御するとともに、前記第１可変表示手段の表示制御を行う遊技制御手段（例えば主基板１１に搭載されてＲＯＭ１０１、ＲＡＭ１０２、ＣＰＵ１０３などを含んだ遊技制御用マイクロコンピュータ１００など）と、前記遊技制御手段からの制御信号（例えば演出制御コマンド）に基づいて前記第２可変表示手段の表示制御を行う表示制御手段（例えば演出制御基板１２に搭載された演出制御用ＣＰＵ１３０、ＲＯＭ１３１、ＲＡＭ１３２、表示制御部１３３など）と、を備え、前記遊技制御手段は、遊技機への電力供給が停止しても記憶内容を保持することが可能なデータ記憶手段（例えばＲＡＭ１０２のバックアップ領域など）と、電力供給が停止された後に電力供給が再開されたときに、前記データ記憶手段の記憶内容に基づいて制御状態を復旧する復旧制御手段（例えばＣＰＵ１０３がステップＳ９の遊技状態復旧処理を実行する部分など）と、前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段（例えばＣＰＵ１０３がステップＳ２０４の大当り判定処理やステップＳ２２３、Ｓ２２５、Ｓ２２９の処理を実行する部分など）と、前記制御信号として、前記特別識別情報の可変表示を開始してから表示結果を導出表示するまでの可変表示時間及び表示結果の種類を示す可変表示コマンド（例えば可変表示開始コマンド８０ＸＸ（ｈ））と、前記特別識別情報の可変表示の表示結果の種類を示す特別識別情報コマンド（例えば特別図柄通知コマンド９０ＸＸ（ｈ））と、前記特定遊技状態の開始を示す特定遊技状態開始コマンド（例えば大当り開始コマンドＡ０００（ｈ））と、前記復旧制御手段によって制御状態が復旧されたことを示す復旧コマンド（例えば電源復旧コマンドＦＥ００（ｈ））と、を送信する制御信号送信手段（例えばＣＰＵ１０３がステップＳ２８のコマンド制御処理や、ステップＳ１０２、Ｓ２３７、Ｓ２３８の処理、及びステップＳ１２４の大入賞口開放前処理を実行する部分など）と、を含み、前記表示制御手段は、前記制御信号送信手段によって送信された可変表示コマンドに基づき前記第２可変表示手段による可変表示の表示結果として導出表示される装飾識別情報を決定する装飾識別情報決定手段（例えば演出制御用ＣＰＵ１３０がステップＳ４３３の飾り図柄可変表示設定処理を実行する部分など）と、前記制御信号送信手段によって送信された特別識別情報コマンドを受信したときに、当該特別識別情報コマンドに示された表示結果の種類を特定可能なデータが格納される確定識別情報格納手段（例えば確定特別図柄記憶部１５１など）と、前記特定遊技状態に制御されているときに前記第２可変表示手段に表示する装飾識別情報を特定可能なデータが格納される表示用識別情報格納手段（例えば大当り時表示用飾り図柄記憶部１５３など）と、前記制御信号送信手段によって送信された可変表示コマンドを受信したときに、前記確定識別情報格納手段に格納されているデータをクリアするデータクリア手段（例えばＣＰＵ１０３がステップＳ４０８の処理を実行する部分）と、前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段（例えば演出制御用ＣＰＵ１３０がステップＳ５５６の処理を実行する部分など）と、前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段（例えば演出制御用ＣＰＵ１３０がステップＳ５５７の処理を実行する部分など）と、前記整合判定手段によって整合しない旨の判定がなされたときに、当該不整合の判定結果を特定可能なデータを、前記表示用識別情報格納手段に格納する制御を行う不整合時格納制御手段（例えば演出制御用ＣＰＵ１３０がステップＳ５５８の処理を実行する部分など）と、前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段（例えば演出制御用ＣＰＵ１３０がステップＳ５６６〜Ｓ５７１の処理を実行することにより、例えば図３５（Ａ）に示すような報知情報５１Ａあるいは図３５（Ｂ）に示すような報知情報５１Ｂを、画像表示装置５に表示させる部分など）と、前記制御信号送信手段によって送信された復旧コマンドを受信したときに、前記表示用識別情報格納手段をクリアした後に、前記所定の識別情報を特定可能なデータを格納するとともに、前記確定識別情報格納手段には前記特定表示結果とは異なる特別識別情報を特定可能なデータを格納する制御を行う復旧時格納制御手段（例えば演出制御用ＣＰＵ１３０がステップＳ４０４の電源復旧時設定処理を実行する部分など）と、を含み、前記特定遊技状態中表示制御手段は、前記特定遊技状態に制御されているときに電力供給が停止された後、電力供給が再開された場合には、当該電力供給の再開後における前記特定遊技状態では前記第２可変表示手段に前記所定の識別情報を表示させる（例えば演出制御用ＣＰＵ１３０がステップＳ４０４の電源復旧時設定処理でステップＳ５０１の処理を実行することにより大当り時表示用飾り図柄記憶部１５３をクリアして例えば初期データとして不整合情報データを格納した後に、主基板１１からの大当りラウンド数指示コマンドを受信したことによりラウンド数通知済みフラグがオンとなっていることからステップＳ５６２にてＹｅｓと判定したとき、ステップＳ５６６にてＹｅｓの判定を行ってステップＳ５７１の処理を実行することにより、図３５（Ｂ）に示すような報知情報５１Ｂを、画像表示装置５に表示させる部分など）。
【手続補正５】
【補正対象書類名】明細書
【補正対象項目名】００１２
【補正方法】変更
【補正の内容】
【００１２】
上記目的を達成するため、本願の請求項４に記載の遊技機は、各々が識別可能な複数種類の特別識別情報（例えば特別図柄）の可変表示を行う第１可変表示手段（例えば特別図柄表示装置４）と、該第１可変表示手段による前記特別識別情報の可変表示に対応して各々が識別可能な複数種類の装飾識別情報（例えば飾り図柄）の可変表示を行う第２可変表示手段（例えば画像表示装置５）と、を備え、前記特別識別情報の可変表示の表示結果が予め定められた特定表示結果（例えば「３」または「７」を示す確定図柄）となったときに、遊技者にとって有利な特定遊技状態（例えば大当り遊技状態）に制御し、さらに、前記特別識別情報の可変表示の表示結果が前記特定表示結果のうちで予め定められた特別表示結果（例えば「７」を示す確定図柄）となったときには、前記特定遊技状態が終了した後に前記特定表示結果となる確率が前記特定遊技状態とは異なる通常遊技状態時よりも高い高確率状態（例えば確率向上状態）に制御する遊技機（例えばパチンコ遊技機１）であって、遊技の進行を制御するとともに、前記第１可変表示手段の表示制御を行う遊技制御手段（例えば主基板１１に搭載されてＲＯＭ１０１、ＲＡＭ１０２、ＣＰＵ１０３などを含んだ遊技制御用マイクロコンピュータ１００など）と、前記遊技制御手段からの制御信号（例えば演出制御コマンド）に基づいて前記第２可変表示手段の表示制御を行う表示制御手段（例えば演出制御基板１２に搭載された演出制御用ＣＰＵ１３０、ＲＯＭ１３１、ＲＡＭ１３２、表示制御部１３３など）と、を備え、前記遊技制御手段は、遊技機への電力供給が停止しても記憶内容を保持することが可能なデータ記憶手段（例えばＲＡＭ１０２のバックアップ領域など）と、電力供給が停止された後に電力供給が再開されたときに、前記データ記憶手段の記憶内容に基づいて制御状態を復旧する復旧制御手段（例えばＣＰＵ１０３がステップＳ９の遊技状態復旧処理を実行する部分など）と、前記特別識別情報の可変表示の表示結果を、前記特別表示結果と、前記特別表示結果以外の前記特定表示結果と、前記特定表示結果以外の表示結果と、のうちのいずれの種類の表示結果とするかを決定する表示結果決定手段（例えばＣＰＵ１０３がステップＳ２０４の大当り判定処理やステップＳ２２３、Ｓ２２５、Ｓ２２９の処理を実行する部分など）と、前記制御信号として、少なくとも前記特別識別情報の可変表示を開始してから表示結果を導出表示するまでの可変表示時間を示す可変表示コマンド（例えば可変表示開始コマンド８０ＸＸ（ｈ））と、前記特別識別情報の可変表示の表示結果の種類を示す特別識別情報コマンド（例えば特別図柄通知コマンド９０ＸＸ（ｈ））と、前記特定遊技状態の開始を示す特定遊技状態開始コマンド（例えば大当り開始コマンドＡ０００（ｈ））と、前記復旧制御手段によって制御状態が復旧されたことを示す復旧コマンド（例えば電源復旧コマンドＦＥ００（ｈ））と、を送信する制御信号送信手段（例えばＣＰＵ１０３がステップＳ２８のコマンド制御処理や、ステップＳ１０２、Ｓ２３７、Ｓ２３８の処理、及びステップＳ１２４の大入賞口開放前処理を実行する部分など）と、を含み、前記表示制御手段は、前記制御信号送信手段によって送信された特別識別情報コマンドに基づき前記第２可変表示手段による可変表示の表示結果として導出表示される装飾識別情報を決定する装飾識別情報決定手段（例えば演出制御用ＣＰＵ１３０がステップＳ５２２にて例えば主基板１１から送信された特別図柄通知コマンドのＥＸＴデータを読み取るなどして特別図柄の種類を特定し、ステップＳ５２３にて確変大当り図柄であるか否かを判定し、ステップＳ５２５にて通常大当り図柄であるか否かを判定する場合において、ステップＳ５２２〜Ｓ５３９の処理を実行する部分など）と、前記制御信号送信手段によって送信された特別識別情報コマンドを受信したときに、当該特別識別情報コマンドに示された表示結果の種類を特定可能なデータが格納される確定識別情報格納手段（例えば確定特別図柄記憶部１５１など）と、前記特定遊技状態に制御されているときに前記第２可変表示手段に表示する装飾識別情報を特定可能なデータが格納される表示用識別情報格納手段（例えば大当り時表示用飾り図柄記憶部１５３など）と、前記制御信号送信手段によって送信された可変表示コマンドを受信したときに、前記確定識別情報格納手段に格納されているデータをクリアするデータクリア手段（例えばＣＰＵ１０３がステップＳ４０８の処理を実行する部分）と、前記第１可変表示手段による前記特別識別情報の可変表示の表示結果として前記特定表示結果が導出表示された後、前記制御信号送信手段によって送信された特定遊技状態開始コマンドを受信したときに、当該特定表示結果が導出表示された前記第１可変表示手段による前記特別識別情報の可変表示に対応して前記第２可変表示手段によって実行された可変表示により導出表示された装飾識別情報の表示結果または該装飾識別情報の表示結果の種類が、前記確定識別情報格納手段に格納されているデータにより特定される種類と整合するか否かの判定を行う整合判定手段（例えば演出制御用ＣＰＵ１３０がステップＳ５５６の処理を実行する部分など）と、前記整合判定手段によって整合する旨の判定がなされたときに、前記第２可変表示手段による可変表示の表示結果として導出表示された装飾識別情報を特定可能なデータを、前記表示用識別情報格納手段に格納する制御を行う整合時格納制御手段（例えば演出制御用ＣＰＵ１３０がステップＳ５５７の処理を実行する部分など）と、前記整合判定手段によって整合しない旨の判定がなされたときに、当該不整合の判定結果を特定可能なデータを、前記表示用識別情報格納手段に格納する制御を行う不整合時格納制御手段（例えば演出制御用ＣＰＵ１３０がステップＳ５５８の処理を実行する部分など）と、前記特定遊技状態に制御されているときに、前記表示用識別情報格納手段に格納されているデータにより特定される装飾識別情報を前記第２可変表示手段に表示させる制御を行うとともに、前記表示用識別情報格納手段に格納されているデータにより前記不整合の判定結果が特定されたときには前記第２可変表示手段に所定の識別情報を表示させる特定遊技状態中表示制御手段（例えば演出制御用ＣＰＵ１３０がステップＳ５６６〜Ｓ５７１の処理を実行することにより、例えば図３５（Ａ）に示すような報知情報５１Ａあるいは図３５（Ｂ）に示すような報知情報５１Ｂを、画像表示装置５に表示させる部分など）と、前記制御信号送信手段によって送信された復旧コマンドを受信したときに、前記表示用識別情報格納手段をクリアした後に、前記所定の識別情報を特定可能なデータを格納するとともに、前記確定識別情報格納手段には前記特定表示結果とは異なる特別識別情報を特定可能なデータを格納する制御を行う復旧時格納制御手段（例えば演出制御用ＣＰＵ１３０がステップＳ４０４の電源復旧時設定処理を実行する部分など）と、を含み、前記特定遊技状態中表示制御手段は、前記特定遊技状態に制御されているときに電力供給が停止された後、電力供給が再開された場合には、当該電力供給の再開後における前記特定遊技状態では前記第２可変表示手段に前記所定の識別情報を表示させる（例えば演出制御用ＣＰＵ１３０がステップＳ４０４の電源復旧時設定処理でステップＳ５０１の処理を実行することにより大当り時表示用飾り図柄記憶部１５３をクリアして例えば初期データとして不整合情報データを格納した後に、主基板１１からの大当りラウンド数指示コマンドを受信したことによりラウンド数通知済みフラグがオンとなっていることからステップＳ５６２にてＹｅｓと判定したとき、ステップＳ５６６にてＹｅｓの判定を行ってステップＳ５７１の処理を実行することにより、図３５（Ｂ）に示すような報知情報５１Ｂを、画像表示装置５に表示させる部分など）。